(57)【要約】【課題】被移載側の積替機と移載側の積替機とでなる用紙積替装置を用い、作業者が移載側の積載用紙の上部からその一部を掴み、被移載側のパイル上に積み重ねる際に、小さいサイズの積載用紙の場合でも、作業者が腕を伸ばすという負荷がなく移載でき、かつ移載時に紙揃えが容易で、スペース部に紙が滑り落ちたりしない用紙積替装置の提供。【解決手段】被移載側の積替機５０のパイル１０後端に複数本の突き当て柱３０を設け、この突き当て柱３０が用紙のサイズに応じて奥行き方向Ｐに移動する機能を有している用紙積替装置１００である。【選択図】図１
2005263401.tif 000002
【特許請求の範囲】
【請求項１】
被移載側と移載側とでなり、該被移載側の昇降機能を有するパイル上に、移載側の昇降機能を有するパイル上に積載されている多量枚数の積載紙の上部から一部を掴んで積み替える用紙積替装置であって、前記被移載側のパイルの後端に２本もしくは複数本の突き当て柱を設け、該突き当て柱が用紙のサイズに応じて奥行き方向に移動する機能を有していることを特徴とする用紙積替装置。
【請求項２】
上記２本もしくは複数本の突き当て柱は、移載側のパイルの後端にも設けられ、該突き当て柱が用紙のサイズに応じて奥行き方向に移動する機能を有していることを特徴とする請求項１記載の用紙積替装置。
【請求項３】
上記２本もしくは複数本の突き当て柱の移動は、該突き当て柱毎の上部に２本もしくは複数本のアームが連結され、該アーム端がパイル後方に固定されている支点軸に連結され、該支点軸の回転運動でなされることを特徴とする請求項１または２記載の用紙積替装置。
【請求項４】
上記パイル後端の、２本もしくは複数本の突き当て柱が用紙サイズに応じて奥行き方向に移動する範囲の位置に、該２本もしくは複数本の突き当て柱が挿入される切り欠きを設けたことを特徴とする請求項１、２または３記載の用紙積替装置。
【発明の詳細な説明】
【技術分野】
【０００１】
本発明は、枚葉印刷機に用いられる印刷用紙を積み替えるための用紙積替機に関するものであり、さらに詳細には、例えばパイル上に多量枚数積み重ねられた印刷用紙を他のパイル上に人手で容易に積み替えが可能な用紙積替機に関するものである。
【背景技術】
【０００２】
従来、例えば枚葉印刷機の給紙部のパイル上へ、パレット台に乗せられた状態の多量枚数の印刷用紙を供給する場合、積み替える印刷用紙の四方各側端を揃える紙揃えを行うが、この時、パレット台上の所定の位置、例えば中央位置に位置決めして印刷用紙を載置し、パレット毎パイル上の印刷機方向（奥行き方向）に送り込む。しかし、この多量枚数の積み重ね用紙は、かなりの重量なので、この紙揃えおよび紙の載置を人手で行うことは重労働であった。
【０００３】
上記でいうパイルとは、印刷用紙または印刷された印刷物が積まれるに従って下降し、多くの紙を積み重ねることができる紙受け台または板のことで、一般的には、後の運搬等を考慮して、このパイル上にパレット台を載置し、積み重ねられた多くの印刷用紙をこのパレット台毎運搬等ができるようにしてある。
【０００４】
そこで、上記位置決めおよび紙揃えの重労働を解決するものとして、下記のような用紙積替装置が提案され実用化されている。
【０００５】
上記用紙積替装置として、例えば、図６の正面図および図７の上面図に示すように、積み替えされる方の被移載側の積替機（５０）と積み替えする方の移載側の積替機（６０）とでなり、この移載側の積替機（６０）のパレット台（１２）上に載置された、揃えるあるいは紙反転ローラ（１３）を介して表裏反転すべき多量枚数の積載用紙（２０）をパレット台（１２）毎載置するパイル（１０）を有し、もう一方の被移載側の積替機（５０）にも移載された多量枚数の積載用紙（２０）をパレット台（１２）毎載置するパイル（１０）を有している。これら被移載側および移載側のパイル（１０）は、積載用紙（２０）の重量に応じた昇降機能を有していて、両積替機（５０、６０）の間には、平滑性に優れるステンレス板等でなるスライドテーブル（１４）が設置されている。
【０００６】
上記用紙積替装置を用い、例えば作業者が移載側の積替機（６０）上の積載用紙（２０）の上部から、その一部（厚さで１０ｃｍ程度）を掴み、スライドテーブル（１４）に載せながら被移載側のパイル（１０）上に搬送して積み重ねるようにするもので、例えば表裏反転を必要とする場合は、紙反転ローラ（１３）を介して掴んだ積載用紙の一部を反転させ、それをスライドテーブル（１４）に載せながら被移載側のパイル（１０）上に搬送して積み重ねるようにする用紙積替装置である。
【０００７】
また、作業者が掴む用紙もかなりの重量があるので、被移載側のパイル（１０）上に載せ易くし作業者の負担を軽くするため、両側の積替機（５０、６０）のパイル（１０）をモーターで駆動、昇降チェーンを回転させ、上面検知センサで積載用紙（２０）の高さを検知して上下せしめ、常に両者のパイル（１０）が水平に近い高さにあるようにしているものである。
【発明の開示】
【発明が解決しようとする課題】
【０００８】
しかしながら、上記従来の用紙積替装置の技術において、特に図７に示すような、積み
替えられる最大用紙サイズの積載用紙（２０）に対し、図８の上面図に示すように、小さいサイズの積載用紙（２０ａ）の場合、被移載側の積替機（５０）のパイル（１０）上に、小さいサイズの積載用紙（２０ａ）が積載されているパレット台（１２）毎パイル（１０）上に搬入するに際し、その載置基準となるものがないので載置位置が定まらないので、奥いっぱいに載置するようになり、その結果、腕を伸ばした状態で積み替えなければならず、よって作業者に対する負荷がまだ低減されていないという問題点があった。
【０００９】
また、図８に示すように、例えば移載側の積替機（６０）のパイル（１０）上の手前側に、小さいサイズの積載用紙（２０ａ）が積載されているパレット台（１２）毎載置してその上部の一部を掴み易くした場合、このパイル（１０）上で掴んだ一部を紙揃えしてから移載するが、この積載用紙（２０ａ）の後方にスペース部（ＳＰ）があるため、この紙揃えが容易ではなく、かつ滑り易い用紙（例えば両面キャストコート紙等）などは後方のスペース部（ＳＰ）に滑り落ちるなどの問題点があった。
【００１０】
さらにまた、例えば図９の上面図に示すように、被移載側の積替機（５０）のパイル（１０）上の手前側に、小さいサイズの積載用紙（２０ａ）が移載されるパレット台（１２）台毎載置して、腕を伸ばさなくとも移載できるようにした場合においても、上記移載側の積替機（６０）のパイル（１０）上の手前側に積載用紙（２０ａ）を載置した場合と同様に、この積載用紙（２０ａ）の後方にスペース部（ＳＰ）があるため、このパイル（１０）上での紙揃えが容易ではなく、かつ滑り易い用紙（例えば両面キャストコート紙等）などは後方のスペース部（ＳＰ）に滑り落ちるなどの問題点があった。
【００１１】
本発明は、かかる従来技術の問題点を解決するものであり、その課題とするところは、被移載側の積替機（５０）と積み替えする方の移載側の積替機（６０）とでなる用紙積替装置を用い、作業者が移載側の積載用紙の上部から、その一部を掴み、紙揃えした後、被移載側のパイル上に搬送して積み重ねるに際し、小さいサイズの積載用紙（２０ａ）の場合においても、作業者が腕を伸ばすという負荷がなく容易に移載することができ、かつこの移載時に紙揃えが容易で、スペース部への紙の滑り落ちがないようにした用紙積替装置を提供することにある。
【課題を解決するための手段】
【００１２】
本発明に於いて上記課題を達成するために、まず請求項１の発明では、被移載側と移載側とでなり、該被移載側の昇降機能を有するパイル上に、移載側の昇降機能を有するパイル上に積載されている多量枚数の積載紙の上部から一部を掴んで積み替える用紙積替装置であって、前記被移載側のパイルの後端に２本もしくは複数本の突き当て柱を設け、該突き当て柱が用紙のサイズに応じて奥行き方向に移動する機能を有していることを特徴とする用紙積替装置としたものである。
【００１３】
また、請求項２の発明では、上記２本もしくは複数本の突き当て柱は、移載側のパイルの後端にも設けられ、該突き当て柱が用紙のサイズに応じて奥行き方向に移動する機能を有していることを特徴とする請求項１記載の用紙積替装置としたものである。
【００１４】
また、請求項３の発明では、上記２本もしくは複数本の突き当て柱の移動は、該突き当て柱毎の上部に２本もしくは複数本のアームが連結され、該アーム端がパイル後方に固定されている支点軸に連結され、該支点軸の回転運動でなされることを特徴とする請求項１または２記載の用紙積替装置としたものである。
【００１５】
さらにまた、請求項４の発明では、上記パイル後端の、２本もしくは複数本の突き当て柱が用紙サイズに応じて奥行き方向に移動する範囲の位置に、該２本もしくは複数の突き当て柱が挿入される切り欠きを設けたことを特徴とする請求項１、２または３記載の用紙
積替装置としたものである。
【００１６】
上記請求項１乃至４でいうパイルとは、印刷用紙または印刷された印刷物が積まれるに従って下降し、多くの紙を積み重ねることができる紙受け台または板のことをいう（日本印刷学会編、印刷事典）。
【発明の効果】
【００１７】
本発明は以上の構成であるから、下記に示す如き効果がある。
【００１８】
即ち、上記請求項１に係る発明によれば、被移載側と移載側とでなり、該被移載側の昇降機能を有するパイル上に、移載側の昇降機能を有するパイル上に積載されている多量枚数の積載紙の上部から一部を掴んで積み替える用紙積替装置において、前記被移載側のパイルの後端に２本もしくは複数本の突き当て柱を設け、該突き当て柱が用紙のサイズに応じて奥行き方向に移動する機能を有しているので、たとえ小さいサイズの印刷用紙の場合でも、突き当て柱を用紙のサイズに応じて手前に移動させることによって、移載側の積載紙の上部から一部を掴んで積み替えるに際し、この２本もしくは複数本の突き当て柱に突き当てるようにして紙揃えをすることができ、かつ腕を伸ばす必要がなく積み替えができる作業者に対して負荷の少ない用紙積替装置を提供できる効果がある。
【００１９】
さらにまた、上記請求項１に係る発明によれば、被移載側のパイル手前に移動された突き当て柱によって、滑り易い小さいサイズの積載紙でもこの後方のスペースに滑り落ち込むというトラブルのない用紙積替装置とすることができる。
【００２０】
また、上記請求項２に係る発明によれば、２本もしくは複数本の突き当て柱を、移載側のパイルの後端にも設け、この突き当て柱が用紙のサイズに応じて奥行き方向に移動する機能を有しているので、たとえ小さいサイズの印刷用紙の場合でも、この突き当て柱を用紙のサイズに応じて手前に移動させることによって、移載側の積載紙の上部から一部を掴むに際し、腕を伸ばす必要のない作業者に対する負荷の少ない用紙積替装置を提供することができ、かつ移載する前にこの突き当て柱に突き当てるようにして紙揃えをすることもできる。
【００２１】
さらにまた、上記請求項２に係る発明によれば、移載側のパイル手前に移動された突き当て柱によって、滑り易い小さいサイズの積載紙でもこの後方のスペースに滑り落ち込むというトラブルのない用紙積替装置とすることもできる。
【００２２】
また、上記請求項３に係る発明によれば、上記２本もしくは複数本の突き当て柱の移動を、該各突き当て柱の上部に２本もしくは複数本のアームが連結され、このアームのもう一方の端がパイル後方に固定された支点軸に連結されていて、この支点軸で回転運動するようにしたことによって、用紙のサイズに応じてモーターまたは手動ハンドル等でアームを昇降させ回転させるもので、例えば用紙サイズが大きい場合は、突き当て柱をアームの回転で上昇させて後方（奥行き方向）に移動させ、用紙サイズが小さい場合には、突き当て柱をアームの回転で下降させて前方（手前方向）へ容易に移動させることができる用紙積替装置とするものである。
【００２３】
さらにまた、上記請求項４に係る発明によれば、上記パイル後端の、２本もしくは複数の突き当て柱が用紙サイズに応じて奥行き方向に移動する範囲の位置に、該２本もしくは複数の突き当て柱が挿入される切り欠きを設けたことによって、このパイルが上昇を必要とする時に、この突き当て柱がパイルと当接することがなく、この切り欠きを通過してパイルの上昇をスムースにした用紙積替装置とすることができる。
【００２４】
従って本発明は、枚葉印刷機に用いられる印刷用紙を人手で容易に積み替えを可能にする用紙積替機として、優れた実用上の効果を発揮する。
【発明を実施するための最良の形態】
【００２５】
以下本発明を実施するための最良の形態を図面を用いて詳細に説明する。
【００２６】
本発明の用紙積替装置は、例えば図１（ａ）、（ｂ）の上面概略図および図２の正面概略図に示すように、積み替えされる方の被移載側の積替機（５０）と積み替えする方の移載側の積替機（６０）とで構成されていて、この移載側の積替機（６０）のパレット台（１２）上に載置されたサイズの小さい多量枚数の積載用紙（２０ａ）を、このパレット台（１２）毎載置するパイル（１０）を有し、もう一方の被移載側の積替機（５０）にも、移載側の積替機（６０）から移載されたサイズの小さい多量枚数の積載用紙（２０ａ）をパレット台（１２）毎載置するパイル（１０）を有していて、これら被移載側および移載側のパイル（１０）は、積載用紙（２０ａ）をその上面検知センサによる昇降機能を有していて、両積替機（５０、６０）の間には、平滑性に優れるステンレス板等でなるスライドテーブル（１４）が設置されている。
【００２７】
そこで、上記請求項１に係る発明は、図１（ａ）および図２に示すように、被移載側の積替機（５０）を構成するパイル（１０）の後方に２本の四角柱状の突き当て柱（３０）を設け、この突き当て柱（３０）が用紙のサイズに応じて奥行き方向（Ｐ）に移動する機能を有していて、サイズの小さい積載用紙（２０ａ）の場合は、パイル（１０）の後方端にある衝立板（３６）より手前の方に突き当て柱（３０）が移動し、サイズの大きい積載用紙（２０ｂ）の場合（点線で表示）は、パイル（１０）の後方端に突き当て柱（３０）が移動するようにした用紙積替装置（１００）である。
【００２８】
以上のように、被移載側の積替機（５０）を構成するパイル（１０）の後方に、用紙のサイズに応じて奥行き方向（Ｐ）に移動する機能を有する２本の四角柱状の突き当て柱（３０）を設けたことによって、例えば図１（ａ）に示すように、小さいサイズの積載用紙（２０ａ）の場合でも、四角柱状の突き当て柱（３０）をこの小さいサイズの積載用紙（２０）に応じて手前に移動させ、図１（ｂ）および図２に示すように、移載側の積替機（６０）の積載用紙（２０ａ）の上部から一部を掴んで積み替える際に、この２本の突き当て柱（３０）に突き当てるようにして紙揃えをすることができ、かつ腕を伸ばす必要がなく積み替えができ、作業者に対して負荷の少ない用紙積替装置（１００）とすることができる。
【００２９】
また、例えば図１（ａ）に示すように、被移載側の積替機（５０）を構成するパイル（１０）の後方に移動された２本の突き当て柱（３０）によって、滑り易い小さいサイズの積載用紙（２０ａ）でも、積載用紙（２０ａ）と衝立板（３６）との間のスペースに滑り落ち込むというトラブルのないものとすることができる。
【００３０】
上記四角柱状の突き当て柱（３０）を、円柱状、楕円柱状、あるいは板状としてもよく、積載用紙の端縁が突き当てられた時に傷等が付かないものであれば、その形状を限定するものではなく、また、その材質も、アルミニウム、鉄（ステンレス含む）、銅等金属の他、木製であってもよい。
【００３１】
また、上記２本の四角柱状の突き当て柱（３０）を、３本、４本としてもよく、積載用紙のサイズにもよるが多くても５本程度である。
【００３２】
また、上記請求項２に係る発明は、図１（ｂ）および図２に示すように、移載側の積替機（６０）を構成するパイル（１０）の後方にも２本の四角柱状の突き当て柱（３０）を
設け、この突き当て柱（３０）が用紙のサイズに応じて奥行き方向（Ｐ）に移動する機能を有していて、サイズの小さい積載用紙（２０ａ）の場合は、パイル（１０）の後方端にある衝立板（３６）より手前の方に突き当て柱（３０）が移動し、サイズの大きい積載用紙（２０ｂ）の場合（点線で表示）は、パイル（１０）の後方端に突き当て柱（３０）が移動するようにした用紙積替装置（１００）である。
【００３３】
以上のように、移載側の積替機（６０）を構成するパイル（１０）の後方にも、用紙のサイズに応じて奥行き方向（Ｐ）に移動する機能を有する２本の四角柱状の突き当て柱（３０）を設けたことによって、例えば図１（ｂ）に示すように、小さいサイズの積載用紙（２０ａ）の場合でも、四角柱状の突き当て柱（３０）をこの小さいサイズの積載用紙（２０ａ）に応じて手前に移動させ、移載側の積替機（６０）の積載用紙（２０ａ）の上部から一部を掴んで積み替える前に、この２本の突き当て柱（３０）に突き当てるようにして紙揃えをすることができる。
【００３４】
さらにまた、図１（ｂ）に示すように、例えば移載側の積替機（６０）を構成するパイル（１０）の後方で、小さいサイズの積載用紙（２０ａ）端縁に移動された突き当て柱（３０）によって、滑り易い小さいサイズの積載用紙（２０ａ）であっても、この積載用紙（２０ａ）と衝立板（３６）との間のスペースに滑り落ち込むというトラブルのないものとすることができる。
【００３５】
また、上記請求項３に係る発明は、例えば図３（ａ）の側面概略図に示すように、突き当て柱（３０）の奥行き方向（Ｐ）への移動を、突き当て柱（３０）の上部に２本のアーム（３２）が主軸（３３）で連結され、このアーム（３２）の端がパイル（１０）後方の衝立板（３６）に固定されている支点軸（３４）に連結されていて、この支点軸（３４）の回転運動でするようにしたもので、例えば小さいサイズの積載用紙（２０ａ）の場合は、モータ等による支点軸（３４）の回転で２本のアーム（３２）が前方（左側）に倒れ、突き当て柱（３０）が前方（左側）に容易に移動できるようにし、大きいサイズの積載用紙の場合（点線で表示）には、支点軸（３４）の回転で２本のアーム（３２）が後方（右側）に上昇し、突き当て柱（３０）が後方（右側）の衝立板（３６）近傍まで容易に移動できるようにしたものである。
【００３６】
上記アーム（３２）本数は、突き当て柱（３０）の垂直性の保持には、１本の突き当て柱（３０）に付き２本のアーム（３２）が好ましく、強度等の点を考慮したとしても多くて３本程度であれば十分である。
【００３７】
さらにまた、上記請求項４に係る発明は、例えば図１（ａ）および（ｂ）に示すように、パイル（１０）後端に、２本の四角柱状の突き当て柱（３０）が用紙サイズに応じて奥行き方向（Ｐ）に移動する範囲の位置に、この突き当て柱（３０）が挿入される（点線で表示した）細長の切り欠き孔（３８）を設けたものである。
【００３８】
以上のように、パイル（１０）後端で、２本の四角柱状の突き当て柱（３０）が奥行き方向（Ｐ）に移動する範囲の位置に細長の切り欠き孔（３８）を設けたものは、大きいサイズと小さいサイズの積載用紙（２０ｂ、２０ａ）を含めその中間のサイズ所謂マルチサイズの積載用紙の場合も適用できる。
【００３９】
これに対し、例えば図３（ａ）に示すように、この切り欠き孔（３８）を、小さいサイズの積載用紙（２０ａ）のための四角柱状の突き当て柱（３０）の位置と、大きいサイズの積載用紙のための四角柱状の突き当て柱（３０）の位置（点線で表示）とにのみ設けてもよく、このように、この２種類のサイズの用紙しか扱わない専用の用紙積替装置とすることもできる。
【００４０】
以上のように、例えば図３（ａ）および図３（ｂ）に示すような小さいサイズと大きいサイズの積載用紙専用の突き当て柱（３０）の位置に切り欠き孔（３８）を設けることによって、図３（ｂ）に示す移載側の積替機（６０）を構成するパイル（１０）が上昇した場合、この突き当て柱（３０）がパイル（１０）と当接せずに、この切り欠き孔（３８）を通過してパイル（１０）の上昇をスムースにすることができる。
【００４１】
以上のような構成の用紙積替装置を用いた用紙積み替えは、例えば図３（ａ）および図３（ｂ）に示すように、まず被移載側の積替機（５０）と移載側の積替機（６０）について、両者のアーム（３２）を支点軸（３４）の回転により下降させて四角柱状の突き当て柱（３０）を、小さいサイズの積載用紙（２０ａ）の端縁に相当する位置まで手前（左側）に移動させ固定する。
【００４２】
次いで、図１（ｂ）、図２および図３（ｂ）に示すように、移載側の積替機（６０）のパイル（１０）上にパレット台（１２）に積載された奥行き（Ｈ１）６３０ｍｍ、横幅（Ｗ１）９３０ｍｍの小さいサイズの多量枚数の積載用紙（２０ａ）を突き当て柱（３０）に当接するように載せる。
【００４３】
続いて図２に示すように、移載側の積替機（６０）に積載されている多量枚数の積載用紙（２０ａ）の上部の一部（約厚さ１０ｃｍ程度）を掴んで、一旦突き当て柱（３０）に突き当てて紙揃えをした後、スライドテーブル（１４）に乗せ、滑らせながら被移載側の積替機（５０）のパイル（１０）上にあるパレット台（１２）に載せ、小さいサイズの積載用紙（２０ａ）用に手前（前方側）に移動された突き当て柱（３０）に突き当てながら移載する。
【００４４】
上記行為を繰り返すことによって、移載が完了するが、この移載中において、移載側の積替機（６０）に積載されている多量枚数の積載用紙（２０ａ）が少なくなるので、移載側のパイル（１０）が上昇し、被移載側の積替機（５０）に移載された積載用紙（２０ａ）が多くなるので被移載側の積替機（５０）のパイル（１０）は下降し、常に両者のパイル（１０）上にある積載用紙（２０ａ）の上面がスライドテーブル（１４）とともに略水平になるように、好ましくは移載側の積載用紙（２０ａ）の上面が僅かに高い位置にあるようにして、移載し易くなるように調整されている。
【００４５】
上記被移載側および移載側の積替機（５０、６０）のパイル（１０）の昇降は、積載用紙（２０ａ、２０ｂ）の重さで調整することもできるが、積載用紙の上部表面を光電センサ（上面検知センサ）で捉えて調整するのが一般的である。
【００４６】
上記のように小さいサイズの積載用紙（２０ａ）の移載には、手前に移動された突き当て柱（３０）によって、紙揃えをすることができるとともに、特に従来のように腕を伸ばす必要がなく積み替えができるので、作業者にとって作業負荷の少ない用紙積替装置（１００）とすることができる。
【００４７】
上記小さいサイズの積載用紙（２０ａ）の移載に使用した状態から、例えば図１（ａ）、（ｂ）に示すような大きいサイズの積載用紙（２０ｂ）の移載に使用する場合、例えば図３（ａ）および図４に示すように、まず被移載側の積替機（５０）と移載側の積替機（６０）について、両者のアーム（３２）を支点軸（３４）の回転により上昇させて四角柱状の突き当て柱（３０）を、大きいサイズの積載用紙の端縁に相当する位置まで後方（右側）に移動させ固定する。
【００４８】
次いで、図１（ａ）、（ｂ）および図４に示すように、移載側の積替機（６０）のパイ
ル（１０）上にパレット台（１２）に積載された例えば奥行き（Ｈ２）１１７０ｍｍ、横幅（Ｗ２）７６０ｍｍの大きいサイズの多量枚数の積載用紙（２０ｂ）を突き当て柱（３０）に当接するように載せる。以下小さいサイズの積載用紙（２０ａ）の移載と同様にして被移載側の積替機（５０）に移載するものである。
【００４９】
以上のように大きいサイズの積載用紙（２０ｂ）の移載に際しても、後方（右側）に移動された突き当て柱（３０）によって、紙揃えができるので、従来に比べ比較的容易に積み替えすることができる用紙積替装置である。
【００５０】
以上のような本発明の用紙積替装置を用いて、例えば枚葉オフセット印刷機で印刷され、各端縁が揃えられていない移載側の積載機の多量枚数積載用紙を、各端縁が揃えられ、積み替えられた被移載側の積載機の積載用紙としたものは、例えば図５の側面概略図に示すように、パレット台（１２）毎、再度枚葉印刷機（１１０）の給紙部（４０）を構成するパイル（１０）上へ供給され、裏面への印刷または補刷などに使用されたり、あるいはパレット台毎製本部署に搬送され、断裁機による断裁用等として好適に使用される。
【図面の簡単な説明】
【００５１】
【図１】本発明の用紙積替装置の一実施の形態を示す説明図であり、（ａ）は、被移載側の積替機の上面図であり、（ｂ）は、移載側の積替機の上面図である。
【図２】本発明の用紙積替装置の一実施の形態を正面で表した説明図である。
【図３】本発明の用紙積替装置の一実施の形態を側面で表した説明図で、（ａ）は、被移載側の積替機の側面図であり、（ｂ）は、移載側の積替機の一実施の形態を示す側面図である。
【図４】本発明の用紙積替装置の移載側の積替機の他の一実施の形態を示す側面図である。
【図５】本発明の用紙積替装置で得られた積載用紙を利用する一事例を側面で表した概略説明図である。
【図６】従来の用紙積替装置の一事例を正面で表した説明図である。
【図７】従来の用紙積替装置の一事例を上面で表した説明図である。
【図８】従来の用紙積替装置を用いて移載する一事例を上面で表した説明図である。
【図９】従来の用紙積替装置を構成する被移載側の積替機に移載された一事例を上面で表した説明図である。
【符号の説明】
【００５２】
１０‥‥パイル
１２‥‥パレット台
１４‥‥スライドテーブル
２０‥‥積載用紙
２０ａ‥‥小さいサイズの積載用紙
２０ｂ‥‥大きいサイズの積載用紙
３０‥‥突き当て柱
３２‥‥アーム
３３‥‥主軸
３４‥‥支点軸
３６‥‥衝立板
３８‥‥切り欠き孔
４０‥‥給紙部
４２‥‥排紙部
５０‥‥被移載側の積替機
６０‥‥移載側の積替機
１００‥‥用紙積替装置
１１０‥‥枚葉オフセット印刷機
Ｈ１‥‥小さいサイズの積載用紙の奥行き
Ｈ２‥‥大きいサイズの積載用紙の奥行き
Ｐ‥‥奥行き方向
ＳＰ‥‥スペース部
Ｗ１‥‥小さいサイズの積載用紙の横幅
Ｗ２‥‥大きいサイズの積載用紙の横幅
【図１】
2005263401.tif 000003
【図２】
2005263401.tif 000004
【図３】
2005263401.tif 000005
【図４】
2005263401.tif 000006
【図５】
2005263401.tif 000007
【図６】
2005263401.tif 000008
【図７】
2005263401.tif 000009
【図８】
2005263401.tif 000010
【図９】
2005263401.tif 000011